(57)【特許請求の範囲】
【請求項１】
回転可能に軸受けを介して支持部材に支持されたホルダーと、前記ホルダーの外周にはボビンを把持する拡開可能なチャック部材と、前記チャック部材を拡開させ前記ボビンを把持するための圧縮手段と、前記ボビンの把持を解除し緩める際、前記圧縮手段を押圧するための押し部材と、前記ホルダーの取り付け部側に配設され前記押し部材を押すためのリリース手段を有するボビンホルダーにおいて、前記チャック部材を緩める際、前記圧縮手段に抗して前記押し部材を前記リリース手段によって押圧するとともに、前記ホルダーを前記リリース手段の押し方向と逆方向に引くための引き寄せ手段を有し、前記リリース手段及び前記引き寄せ手段は、前記支持部材の根元側に配置したことを特徴とするボビンホルダー。
【請求項２】
前記引き寄せ手段の駆動源と前記リリース手段の駆動源が共通の駆動源で、一体的に構成されていることを特徴とする請求項１に記載のボビンホルダー。
【請求項３】
前記引き寄せ手段の駆動源が前記リリース手段の駆動源と連動して作動する、それぞれ別の駆動源で構成されていることを特徴とする請求項１に記載のボビンホルダー。
【発明の詳細な説明】
【０００１】
【発明の属する技術分野】
本発明は糸条を巻き取る巻取機におけるボビンホルダーに関し、特にボビンホルダーにおける高速化と耐久性の向上に関する。
【０００２】
【従来の技術】
近年、巻取機のボビンホルダー上で同時に巻き取られる糸条の本数が１２〜１６個と増加する傾向にあり、ボビンを把持するチャック部材を押圧するための圧縮手段の力の和は５００〜１５００ｋｇと大きくなってきている。従来は実開昭６０−４３６６７号公報に記載のように、チャック部材を緩めてボビンをリリースする際、ボビンホルダーの取り付け側に、該チャック部材を拡開するための圧縮手段に抗して押圧するためのシリンダーが配設されている。
【０００３】
【発明が解決しようとする課題】
前記従来技術においては、該チャック部材を拡開するための圧縮手段に抗して押圧するためのシリンダーによって軸方向に押した場合、前記押圧力はホルダーを介して前記ホルダーを支持するベアリングが受ける。近年のように１本のボビンホルダー上で同時に巻き取られる糸条の本数が増え、圧縮手段の力の和が大きくなったため、前記押圧力によってベアリングが大きなスラスト力を受け、ベアリングの転道面に圧痕が生じベアリング寿命が著しく短くなるという問題があった。
【０００４】
【課題を解決するための手段】
回転可能に軸受けを介して支持部材に支持されたホルダーと、前記ホルダーの外周にはボビンを把持する拡開可能なチャック部材と、前記チャック部材を拡開させ前記ボビンを把持するための圧縮手段と、前記ボビンの把持を解除し緩める際、前記圧縮手段を押圧するための押し部材と、前記ホルダーの取り付け部側に配設され前記押し部材を押すためのリリース手段を有するボビンホルダーにおいて、前記チャック部材を緩める際、前記圧縮手段に抗して前記押し部材を前記リリース手段によって押圧するとともに、前記ホルダーを前記リリース手段の押し方向と逆方向に引くための引き寄せ手段を有し、前記リリース手段及び前記引き寄せ手段は、前記支持部材の根元側に配置したことにより、従来技術における問題を解決することが出来る。
【０００５】
【実施例】
以下、本発明の実施例について図面に従って説明する。
図１は本発明における実施例の、ボビンの内径をチャック部材で把持した状態を示す断面図である。図２は、ボビンの内径をチャック部材から開放した状態を示す断面図である。
【０００６】
図１において、サポータ１はフランジ部１ａがボルト２４によってフレーム（図示せず）に締結された状態で突設している。前記サポータ１の中空部１ｂにはベアリング４，５が係合し、回転軸２が回転自在に支承されている。前記回転軸２の右側には駆動力伝達部材１４と駆動軸１５が連結され、左側にはホルダー６が該回転軸２の突出部３を介して圧入され、該ホルダー６の外周にはボビン１３ａ〜ｄの内径を把持するチャック部材１２ａ〜１２ｈが配設されている。
【０００７】
前記チャック部材は環状のテーパー部材９、円周上に分割された複数個（本実施例では６個）のチャックピース８と複数個の圧縮コイルバネ２５から構成されている。
【０００８】
前記テーパー部材９の内径はホルダー６の外径部と、外周に成形されたテーパー部７は前記チャックピース８の内径部と係合している。
【０００９】
前記圧縮バネは、一端が前記ホルダー６に成形した溝部に係合したスプリング受け１１ａ〜１１ｈにそれぞれ係合し、テーパー部材９を軸方向に圧縮し、該テーパー部材９と係合するチャックピース８を法線方向へ拡開させボビン１３ａ〜ｄの内径を把持する。
【００１０】
前記複数個のチャックピース８はホルダーと同軸に配設された円筒状のスリーブ１０に成形した複数個の角穴と夫々係合し、前記チャックピース８が法線方向へ拡開可能となっている。本実施例ではスリーブ１０を一体で示しているが、軸方向に複数個に分割して実施してもよい。
【００１１】
前記スリーブ１０に成形された長穴１０ａは、前記ホルダー６の一端に止着したピン１４と係合し、前記スリーブ１０が回転方向に回転しないように且つ軸方向に移動可能なように設けられている。
【００１２】
前記サポータ１の根元には、ピストン１７が同軸に係合し、その一端はサポータ１に止着した止め輪２３によって軸方向へ固定されている。また前記ピストン１７と同軸に軸方向に移動可能にシリンダー１６が配設され、前記シリンダー１６とピストン１７との係合部にはＯリング２１、２２が配設されエアシリンダーを構成している。
【００１３】
前記シリンダーには、環状のプレート１８が止め輪２０によって止着されている。前記ピストン１７と環状のプレート１８との間には圧縮バネ１９が前記サポータ１に同軸に配設され、前記シリンダー１６の空気供給口１６ａに圧縮空気が供給されていないとき該シリンダー１６がサポータ１の根元に成形したフランジ部１ａに密着するようになっている。
【００１４】
次に図２について、ボビン内径からチャック部材を開放した状態すなわちリリース時について説明する。空気供給口１６ａから圧縮空気を供給すると、圧縮バネ１９が圧縮され、シリンダー１６は図２においてフランジ部１ａから離れて左側に移動し、ピストン１７は止め輪２３から離れて右側へ移動するため、シリンダー１６の端面１６ｂ部はスリーブ１０の端部１０ｂ部に当接し、スリーブ１０を軸方向へ押圧する。
【００１５】
その結果、スリーブ１０の内径に成形した溝部１０ｃと係合するテーパー部材９の９ａ部を軸方向（図２の左方向）へ押圧して圧縮コイルバネ２５を圧縮することによってチャック部材８が法線方向へ自由になりボビンの内径は緩められる。このとき、前記ピストン１７に成形した鍔部１７ａはホルダー６の鍔６ａ部に当接し、ホルダー６はピストン１７によって、上記シリンダー１６によるスリーブ１０を軸方向へ押圧する力とは逆方向の引圧力を受けることになる。つまりホルダー６はピストン１７によって引き寄せられる。
【００１６】
ここで、さらに詳しく上記押圧力と引圧力の関係を図３を使って説明する。圧縮空気を送り込むと、シリンダー１６はスリーブ１０に当接し、前記スリーブ１０にはシリンダーからＦ１の押圧力が作用する。
【００１７】
仮に本件発明による引き寄せ手段、本実施例での１７ａもしくは６ａが設けられてない場合、前記押圧力Ｆ１はスリーブ１０からテーパー部材９へ、テーパー部材９から圧縮コイルバネ２５、次いでスプリング受け１１、ホルダー６、回転軸の突出部３へと作用していき、最後にベアリング４の内輪が前記Ｆ１の力を受けることになる。このためベアリングにスラスト力が作用し、早期破損や寿命低下を引き起こす原因となる。
【００１８】
本実施例においてはシリンダー１６とピストン１７によってシリンダーを構成しており、かつそれぞれに引き寄せ手段１７ａおよび６ａを設けているため、ホルダー６に押圧力Ｆ１が作用しても前記押圧力Ｆ１と逆方向の引圧力−Ｆ１がホルダー６に作用するため、互いの力が相殺され、前記ベアリングにスラスト力が作用しない。
【００１９】
前記シリンダーの空気供給口１６ａから圧縮空気を抜くと圧縮バネ１９によって、シリンダー１６がフランジ部１ａと、ピストン１７がサポータ１に止着した止め輪２３に接触するまで開く。
【００２０】
その結果、スリーブ１０は開放され圧縮バネ１９によって右側に移動し、テーパー部材９が右方向へ移動して、チャックピース８が法線方向へ拡開してボビン１３ａ〜ｄの内径を把持し、図１の状態となり、ホルダーとボビンが一体となって回転可能になる。
【００２１】
本実施例においては、チャック部材をテーパー部材としたが、弾性体を圧縮して拡開するようになしたものやその他周知のチャック部材にも適用できる。
【００２２】
また本実施例においては、リリース時に前記ホルダーを押圧するリリース手段の駆動源と該リリース手段に対抗する引き寄せ手段の駆動源は圧縮空気とし、共通で一体的にエアシリンダーを構成しているが、駆動源は圧縮空気だけでなく油圧、またはその他の手段を使用してもよく、さらには本実施例では前記リリース手段と引き寄せ手段の駆動源を共通にしているが、それぞれ別の駆動源を使用し互いに連動して作動するよう構成してもよい。
【００２３】
【発明の効果】
以上説明したように、本発明によるとボビンを緩めるとき、ホルダー６にはシリンダー１６から押圧力が作用すると同時に、ホルダー６にはピストン１７から前記押圧力とは逆方向の引圧力が作用するため、回転軸２を支承するベアリング４，５に作用するスラスト力は相殺されるので前記ベアリングを破損させたり、寿命低下を起こすことがない。
【００２４】
【図面の簡単な説明】
【図１】本発明の実施例に係るボビンホルダーの断面図であり、ボビンを把持した状態を示す。
【図２】本発明の実施例に係るボビンホルダーの断面図であり、ボビンをリリースした状態を示す。
【図３】図１のＤ部の詳細図であり、ボビンを把持した状態からリリースしようとしたときの力の作用及び関係を示す。
【符号の説明】
１        サポータ
２        回転軸
３        回転軸の突出部
４，５    ベアリング
６        ホルダー
８        チャックピース
９        テーパー部材
１０      スリーブ
１１      スプリング受け
１２      チャック部材
１３      ボビン
１６      シリンダー
１７      ピストン
２５      圧縮コイルバネ
【図１】
0003998473.tif 000002
【図２】
0003998473.tif 000003
【図３】
0003998473.tif 000004